(57)【特許請求の範囲】
【請求項１】
日付欄内に横方向に並ぶ朝・昼・夕等の薬の服用時間帯が表示されていて、各服用時間帯に対応する個所に、横に並びしかもスリットよりなる連通部で互いに接続される係合孔が形成されたカレンダーと、フックと頭部が幅の狭い首部で連続する係合片とよりなり、薬袋の上部にあけた孔に通した係合片の前記頭部がカレンダーの所要の係合孔に挿入されてカレンダーの裏面に係合して薬袋が係合片により吊り下げられるように構成され、しかも前記連通部で接続された係合孔間で係合片を移動させる場合には、係合片の首部を連通部を通すことにより係合片を係合孔から取り外すことなく移動できるように構成してなる薬袋用カレンダー。
【請求項２】
日付欄内に横方向に並ぶ朝・昼・夕等の薬の服用時間帯が表示されていて、各服用時間帯に対応する個所に、横に並びしかもスリットよりなる連通部で互いに接続される係合孔が形成されたカレンダーと、頭部が幅の狭い首部で票本体と連続する服用確認票とよりなり、薬袋の上部にあけた孔に通した服用確認票の前記頭部がカレンダーの所要の係合孔に挿入されてカレンダーの裏面に係合して吊り下げられるようにした薬袋用カレンダー。
【発明の詳細な説明】
【０００１】
【発明の属する技術分野】
本発明は病院や薬局等で処方された薬を指定時間帯に忘れずに服用するための薬服用カレンダーに関する。
【０００２】
【従来の薬服用手段】
病院や薬局等で処方された薬は処方通りに服用しなければ十分な治療効果を得られないが、つい飲み忘れてしまうことが往々にしてある。
従来から、日付毎に薬を分けて収納することができるようにした薬箱があり、このような薬箱には日付を表示した多数の引き出しを備えるものや箱の内部を仕切壁で日付毎に区画したものなどがあるが、薬を日付毎に小分けする手間が掛かるし、薬の飲み忘れを防止できるものではない。
【０００３】
【発明の目的】
そこで本発明はカレンダーの日付欄に薬の服用時間帯の表示をし、その表示分に薬袋や薬の服用確認票を吊り下げることができるようにして薬の飲み忘れを防止できるようにし、また、薬を服用した後は次ぎの指定服用時間帯への薬袋や服用確認票の移動を容易に行なえるようにした。
【０００４】
【発明の構成】
上記目的を達成するために、本発明に係る薬服用カレンダーは、日付欄内に横方向に並ぶ朝・昼・夕等の薬の服用時間帯が表示されていて、各服用時間帯に対応する個所に、横に並びしかもスリットよりなる連通部で互いに接続される係合孔が形成されたカレンダーと、フックと頭部が幅の狭い首部で連続する係合片とよりなり、薬袋の上部にあけた孔に通した係合片の前記頭部がカレンダーの所要の係合孔に挿入されてカレンダーの裏面に係合して薬袋が係合片により吊り下げられるように構成し、しかも前記連通部で接続された係合孔間で係合片を移動させる場合には、係合片の首部を連通部を通すことにより係合片を係合孔から取り外すことなく移動できるように構成した。
【０００５】
また、本発明に係る薬服用カレンダーは、日付欄内に横方向に並ぶ朝・昼・夕等の薬の服用時間帯が表示されていて、各服用時間帯に対応する個所に、横に並びしかもスリットよりなる連通部で互いに接続される係合孔が形成されたカレンダーと、頭部が幅の狭い首部で票本体と連続する服用確認票とよりなり、薬袋の上部にあけた孔に通した服用確認票の前記頭部がカレンダーの所要の係合孔に挿入されてカレンダーの裏面に係合して吊り下げられるようにした。
【０００６】
【実施例】
以下、本発明の実施例を添付図面に基づいて説明する。
本実施例の薬服用カレンダー１は図１に示されるように１か月の暦を表示した１枚ものとしてあり、各日付欄３、３・・・を枠で区画してあって、１週間分を横１列に印刷してある。
【０００７】
しかしてそれぞれの日付欄内には例えば「朝」・「昼」・「夕」等の服用時間帯４の表示を付してあるとともに、各服用時間帯の表示に対応する係合孔４ａ、４ｂ、４ｃを設けてあって、所要の係合孔へ後述の係合片６によって薬袋２を吊り下げるようにしてある。
【０００８】
しかして服用時間帯用の係合孔４ａ、４ｂ、４ｃは図２に拡大して示すようにスリットよりなる連通部５によって互いに接続されており、連通部５は１日分の係合孔４ａ、４ｂ、４ｃだけを接続するように設けるばあいもあるし、数日分について、あるいは１週間分について連続して設けるばあいもある。
【０００９】
係合片６は例えば図３に示されるように頭部７とフック部８が横幅の狭い首部９で連続する形状の薄手のボール紙や合成樹脂板等よりなるものとしてあり、上記頭部７を薬袋２の上部にあけた孔１０に挿通せしめてこの頭部を係合孔の裏側でカレンダー１へ係合せしめることにより薬袋を吊り下げるようになっている。
【００１０】
薬袋は病院や薬局から渡された処方袋２ａをそのまま使用するばあいもあるし、あるいは図４に示すように処方袋２ａをさらにプラスチックフィルム袋等の包袋２ｂに入れて薬袋２として使用するばあいもあり、包袋２ｂは後胴部の上部にフラップ１１のあるものとし、このフラップに係合片の頭部を通す孔１０ａをあけてある。
【００１１】
係合片６はその頭部７が係合孔４ａ、４ｂ、４ｃに挿入されてカレンダーの裏面に係合するので、頭部６の横幅Ｒ＋αは係合孔の横幅Ｒよりも大とし、かつ首部９の幅Ｒ−βを係合孔の横幅Ｒおよび薬袋係合孔の横幅より小としてあり、また、フック部８の幅は薬袋係合孔の横幅よりも大としてある。
【００１２】
次ぎに、上述した薬服用カレンダーの使用法について説明する。
薬袋の孔１０に通した係合片６の頭部７を例えば朝食後の係合孔４ａと昼食後の係合孔４ｂとを結ぶ連通部５内に差し込んでから係合片を朝食後の係合孔４ａまで連通部５で移動させて朝食後の係合孔４ｂへ係合片の頭部を落とし込むことにより薬袋を朝食後の係合孔４ａの箇所に吊り下げる。
【００１３】
朝食後薬袋から薬を取り出して服用したら、係合片を係合孔４ａの上部まで引き上げ、連通部５に沿って昼食後の係合孔４ｂまで移動させ、その係合孔４ｂ内に落とし込むことにより、薬袋を昼食後の薬服用位置に吊り下げておく。
以下、同様の手順で係合片を連通部５により夕食後の係合孔４ｃへ移動せしめて、夕食後の服用位置に薬袋を吊り下げる。
【００１４】
したがって、一旦朝食後の係合孔４ａに薬袋を吊り下げたら、以後夕食後の係合孔４ｃまでの薬袋の移動は係合片を各係合孔から取り外して次ぎの係合孔へ挿入するという煩わしさを解消できる。
【００１５】
なお、夕食後に薬を服用したときは係合孔を夕食後の係合孔４ｃから取り外し、次ぎの日の朝食後の係合孔へ前述した要領で係合片により薬袋を吊り下げる。
【００１６】
上述した実施例のものでは、薬袋２をカレンダー１に吊り下げるようにしてあるが、多数種の薬を服用する場合は薬袋が厚くなって嵩張ったり、重くなったりするので、薬袋を吊り下げる代わりに例えば図５に示されるように「薬を服用しましたか」等の表示を付したカードや付箋タイプの服用確認票１２をカレンダー１に吊り下げるようにする場合もある。
【００１７】
上記服用確認票１２は前記係合片６と同じく上部に頭部７を有し、頭部と確認票本体１３との間に幅の狭い首部９が形成されており、係合孔、４ａ、４ｂ、４ｃとの寸法関係や係合方法は係合片と同じであり、頭部７を所要の服用時間帯の係合孔へ引っ掛けて吊り下げる。
【００１８】
この場合は、服用時間帯に吊り下げてある服用確認票を見て、別途薬袋から薬を取り出して服用し、服用後は次ぎの服用時間帯の箇所に服用確認票を移動させる。なお、服用確認票の移動は前記係合片の移動と同様に行うことができる。
【００１９】
上述した各実施例においては、１枚ものの１か月分のカレンダーの例を挙げたが、１枚の裏表で２か月分のカレンダーとする場合もあり、この場合には係合孔を裏表共用とするので、係合孔をあける位置あるいは暦の印刷位置を適宜調整する必要がある。また、カレンダーの構成を月めくりや日めくりタイプのものとする場合もある。
【００２０】
また、カレンダーの上欄や下欄等に広告用の余白部を設けて、その余白部に医療機関や製薬会社あるいは薬局等の宣伝用広告を印刷しておけばよい。
【００２１】
なお、以上の説明中において薬の服用とは単に薬を飲むことだけを指すのではなく広く薬の使用を指し、いうまでもなく点眼薬や塗布薬等の外用薬の使用を忘れないようにするために本発明のカレンダーを使用できる。
【００２２】
【本発明の作用、効果】
本発明に係る薬服用カレンダーによれば、次に薬を服用すべき時間帯が一目瞭然にわかり、しかも薬袋あるいは服用確認票をカレンダーに吊り下げておくことができるようにしてあるので、薬や確認票が目につきやすく、したがって薬の飲み忘れを防止することができる。
【００２３】
また、連通部で接続された係合孔間では薬袋を係合片や確認票とともにこれら係合片や確認票を取り外すことなく移動させて次の服用すべき時間帯の位置に薬袋や確認票を吊り下げておくことができる。
【００２４】
さらに、構成が簡単で安価に製造することができるので、病院や薬局で投薬指導用として利用し易いという実用上のメリットもある。
【図面の簡単な説明】
【図１】本発明に係るカレンダーの実施例を示す平面図。
【図２】係合孔を拡大して示す平面図。
【図３】係合片の平面図。
【図４】
薬袋の他の例を示す斜視図。
【図５】
服用確認票の一例を示す平面図。
【符号の説明】
１  カレンダー        ２  薬袋
３  日付欄            ４  服用時間帯
５  連通部            ６  係合片
７  頭部              ８  フック部
９  首部            １０  袋の孔
１１  フラップ        １２  服用確認票
１３  確認票本体
【図１】
0003607645.tif 000002
【図２】
0003607645.tif 000003
【図３】
0003607645.tif 000004
【図４】
0003607645.tif 000005
【図５】
0003607645.tif 000006